(57)【要約】      （修正有）【課題】マスクが通常有する機能に加え、より良い冷感、吸湿及び通気効果を備え、さらには抗菌性能を良好にして使い易くした接触冷感性及び吸湿速乾性を有するマスクを提供する。【解決手段】マスクは、マスク本体１と、マスクバンドと、を有する。マスク本体１は、皮膚Ｈに接触する側から順に、冷感親肌層４と、吸湿速乾層５と、を含む。冷感親肌層４は、ポリエチレン繊維を含む。吸湿速乾層５は、吸湿速乾繊維からなる生地によって構成され、或いは吸湿速乾加工剤で加工された生地によって構成される。【選択図】図２
0003230535.tif 000002
【実用新案登録請求の範囲】
【請求項１】
マスク本体と、マスクバンドと、を有し、
前記マスク本体は、皮膚に接触する側から順に、冷感親肌層と、吸湿速乾層と、を含み、
前記冷感親肌層は、ポリエチレン繊維を含み、
前記吸湿速乾層は、吸湿速乾繊維からなる生地によって構成され、或いは吸湿速乾加工剤で処理された生地によって構成されること
を特徴とするマスク。
【請求項２】
前記冷感親肌層は、ポリエチレン繊維、又はポリエチレン複合繊維によって構成されること
を特徴とする請求項１に記載のマスク。
【請求項３】
前記ポリエチレン複合繊維が、ポリエチレン繊維とナイロン繊維との複合繊維及び／又はポリエチレン繊維とポリエステル繊維との複合繊維であること
を特徴とする請求項２に記載のマスク。
【請求項４】
前記吸湿速乾層は、吸湿速乾性のポリエステル繊維によって構成されること
を特徴とする請求項１に記載のマスク。
【請求項５】
前記吸湿速乾加工剤で処理される生地は、ポリエステル繊維、ナイロン繊維、綿繊維、又は再生セルロース繊維のいずれかの繊維によって構成されること
を特徴とする請求項１に記載のマスク。
【請求項６】
前記吸湿速乾加工剤は、ポリエステル化合物、ポリエーテル化合物、及び／又はエチレンオキシドシリコーンポリマーのいずれかによって構成されること
を特徴とする請求項１に記載のマスク。
【請求項７】
前記冷感親肌層と前記吸湿速乾層の間に吸着層を設けること
を特徴とする請求項１に記載のマスク。
【請求項８】
前記吸着層は、ポリプロピレン不織布から形成されること
を特徴とする請求項７に記載のマスク。
【請求項９】
前記吸湿速乾層の表面に抗菌剤を付着させて抗菌層を形成すること
を特徴とする請求項１に記載のマスク。
【請求項１０】
前記マスクバンドの長さを調整する調整ボタンが前記マスクバンドに設けられていること
を特徴とする請求項１に記載のマスク。
【考案の詳細な説明】
【技術分野】
【０００１】
本考案は、マスクに関するものであり、特に、接触冷感性及び吸湿速乾性を有するマスクに関するものである。
【背景技術】
【０００２】
環境汚染の激化と伝染性の呼吸器病の爆発的な広がりによって、マスクは、ほとんど人々の日常的な防護用品となっている。しかしながら、マスクを着用すると呼吸が妨げられ、人によっては蒸し暑さを感じる。特に、夏の暑い日には、マスクを着用することによる呼吸のし難さやマスク内の蒸し暑さが顕著である。現在のマスクは、フィルタ効果を高めるものや呼吸抵抗を減少させるものが多く、マスク内の蒸し暑さを減少させるものは少ない。そのため、夏に適する接触冷感性及び吸湿速乾性を有するマスクの開発が必要となっている。
【０００３】
特許文献１には、マスク本体とマスクバンドとを含むマスクが記載されている。特許文献１のマスクにおいては、マスク本体に肌側層と表側層が形成され、肌側層に清涼層が付着され、清涼層にキシリトール加工がなされている。この清涼層は、人の皮膚と接触する時に、冷さを感じさせる。
【０００４】
特許文献２には、マスク本体と、マスク本体の両端に固定された固定帯と、から構成される防麈清涼マスクが記載されている。特許文献２のマスク本体には、外側層、内側層、及び外側層と内側層との間に設けられた濾過層が形成されている。外側層は、綿の生地によって作成される。濾過層は、不織布によって活性炭繊維網を挟むことで構成されている。内側層は、混紡繊維によって構成されている。さらに、外側層と濾過層の間、或いは内側層と濾過層の間には、保冷層が設けられている。保冷層は、保冷剤によって構成されている。保冷層の面積は、外側層、内側層及び濾過層の面積より小さい。特許文献２のマスクは、冷感機能を有している。
【先行技術文献】
【特許文献】
【０００５】
【特許文献１】中国実用新案登録第２０９５２７９１９明細書
【特許文献２】中国特許出願公開第１０４９５７８０８明細書
【考案の概要】
【考案が解決しようとする課題】
【０００６】
しかしながら、特許文献１のマスクでは、マスク本体の肌側層に付着される清涼層は、素材に対する要求が多く、制約が大きい。さらに、この清涼層の清涼効果は、洗濯回数の増加に伴って弱まる。
【０００７】
また、特許文献２のマスクでは、外側層と濾過層の間、或いは内側層と濾過層の間に、保冷層を別途設ける必要があるため、マスクの構造が複雑となる。さらに、保冷層を構成する保冷剤は、長期間の使用ができず、定期的に冷蔵する必要がある。
【０００８】
以上のように、マスクの設計においては、マスクの構造層自体に接触冷感性及び吸湿速乾性を持たせる必要がある。また、構造層を増やすことなく、既存の濾過機能に加えて、マスク自体に接触冷感性及び吸湿速乾性の機能を備える必要がある。
【０００９】
そこで、本考案は、花粉やウイルス等の粒子を捕集（ろ過）する機能や人の咳やくしゃみの飛散を防止する機能といったマスクが通常有する機能に加えて、より良い冷感、吸湿及び通気効果を備え、さらには抗菌性能を良好にして使い易くした接触冷感性及び吸湿速乾性を有するマスクを提供することを目的とする。
【課題を解決するための手段】
【００１０】
本考案の解決しようとする課題は以上であり、次にこの課題を解決するための手段を説明する。
【００１１】
即ち、本考案のマスクは、マスク本体と、マスクバンドと、を有し、前記マスク本体は、皮膚に接触する側から順に、冷感親肌層と、吸湿速乾層と、を含み、前記冷感親肌層は、ポリエチレン繊維を含み、前記吸湿速乾層は、吸湿速乾繊維からなる生地によって構成され、或いは吸湿速乾加工剤で処理された生地によって構成されることものである。
【００１２】
本考案のマスクは、前記冷感親肌層は、ポリエチレン繊維、又はポリエチレン複合繊維によって構成されるものである。
【００１３】
本考案のマスクは、前記ポリエチレン複合繊維が、ポリエチレン繊維とナイロン繊維との複合繊維及び／又はポリエチレン繊維とポリエステル繊維との複合繊維であるものである。
【００１４】
本考案のマスクは、前記吸湿速乾層は、吸湿速乾性のポリエステル繊維によって構成されるものである。
【００１５】
本考案のマスクは、前記吸湿速乾加工剤で処理される生地が、ポリエステル繊維、ナイロン繊維、綿繊維、又は再生セルロース繊維のいずれかの繊維によって構成されるものである。
【００１６】
本考案のマスクは、前記吸湿速乾加工剤が、ポリエステル化合物、ポリエーテル化合物、及び／又はエチレンオキシドシリコーンポリマーのいずれかによって構成されるものである。
【００１７】
本考案のマスクは、前記冷感親肌層と前記吸湿速乾層の間に吸着層を設けるものである。
【００１８】
本考案のマスクは、前記吸着層は、ポリプロピレン不織布から形成されるものである。
【００１９】
本考案のマスクは、前記吸湿速乾層の表面に抗菌剤を付着させて抗菌層を形成するものである。
【００２０】
本考案のマスクは、前記マスクバンドの長さを調整する調整ボタンが前記マスクバンドに設けられているものである。
【考案の効果】
【００２１】
本考案のマスクによれば、マスク本体に冷感親肌層と吸湿速乾層とを設けることによって、マスク本来の性能に加えて、より良い冷感、吸湿及び通気効果を有するマスクを構成することができる。また、湿気をより良く導出し、速やかに湿気を蒸発させることができる。さらに、乾燥肌を維持し、マスクに抗菌効果を与えることができる。また、必要に応じて抗菌層を設置して、抗菌抑制効果をさらに高め、マスクを快適かつ安全に使用することができる。
【図面の簡単な説明】
【００２２】
【図１】本考案に係るマスクの構成図である。
【図２】本考案に係るマスクのマスク本体の部分分解構成図である。
【考案を実施するための形態】
【００２３】
以下、本考案の実施形態を図面に基づき説明する。
【００２４】
［具体的実施形態］
図１に示すように、本考案に係るマスクＭは、マスク本体１と、マスクバンド２と、を備える。図２に示すように、マスク本体１は、皮膚Ｈに接触する側から順に、冷感親肌層４と、吸湿速乾層５と、を有する。
【００２５】
冷感親肌層４は、皮膚Ｈと接触する部分である。冷感親肌層４は、ポリエチレン繊維によって構成される。冷感親肌層４を構成するポリエチレン繊維は、熱伝導率が高いため、より良い冷感効果を生じさせ、マスクＭに永久冷感効果を持たせることができる。また同時に、ポリエチレン繊維は、速乾性が高く、吸湿速乾層５と組み合わされることで、呼吸の湿気を急速に導出及び蒸発させて肌（皮膚Ｈ）の乾燥を維持する。また、湿気などが素早く乾くことで、マスクＭに抗菌効果を与え、マスクＭを快適且つ安全に使用することができる。さらに、冷感親肌層４は、平編地によって構成することで、湿気の吸収に有利な層となる。
【００２６】
上述のように、冷感親肌層４にはポリエチレン繊維が用いられるが、冷感親肌層４の柔軟性を高めるために、ポリエチレン複合繊維を用いても構わない。冷感親肌層４に用いられるポリエチレン複合繊維としては、ポリエチレン繊維とナイロン繊維の複合繊維又はポリエチレン繊維とポリエステル繊維の複合繊維が挙げられる。冷感親肌層４は、接触冷感性を高めるために、冷感親肌層４を構成する糸の断面構造を同心円状の芯鞘構造とし、内側（中心側）の芯部をナイロン繊維又はポリエステル繊維で構成し、外側の鞘部をポリエチレン繊維で構成しても構わない。
【００２７】
吸湿速乾層５は、吸湿速乾性の繊維からなる生地で構成され、或いは吸湿速乾加工剤で処理された生地で構成される。すなわち、吸湿速乾層５の構成としては、吸湿速乾層５を吸湿速乾性の繊維からなる生地によって構成することで、繊維自身の特性を利用して吸湿速乾層５に吸湿速乾機能を持たせる構成と、吸湿速乾層５を構成する生地に吸湿速乾加工剤を付着させることで、吸湿速乾層５に吸湿速乾機能を持たせる構成と、がある。当該２つの吸湿速乾層５の構成は、一方の構成に限定されるものではなく、冷感親肌層４から導出された湿気をより良く蒸発させることが可能な構成を当該２つの吸湿速乾層５の構成から選択する。吸湿速乾層５は、ハニカムメッシュ編地によって構成することで、湿気の蒸発に有利な層となる。
【００２８】
吸湿速乾層５に用いられる吸湿速乾性の繊維としては、吸湿速乾性のポリエステル繊維が挙げられる。このポリエステル繊維は、異型断面形状を有する。ポリエステル繊維の異型断面は、十字型、井字型、Y字型などがある。吸湿速乾層５は、異型断面形状からなるポリエステル繊維によって構成されることで、繊維表面の溝、糸間の空隙等に水分が吸収され易くなり、層全体として吸湿速乾性を有する。
【００２９】
吸湿速乾層５を構成するに際し吸湿速乾加工剤を付着させる生地としては、ポリエステル繊維、ナイロン繊維、綿繊維又は再生セルロース繊維によって構成されたものが挙げられる。吸湿速乾層５を構成する生地に付着させる吸湿速乾加工剤としては、ポリエステル化合物、ポリエーテル化合物、エチレンオキシドシリコーンポリマーによって構成されるものが挙げられる。生地に吸湿速乾加工剤を付着させて吸湿速乾層５を構成する場合には、生地の仕上げ段階で吸湿速乾加工剤を水に入れて生地の表面に付着させる。
【００３０】
マスク本体１には、マスクＭがより良い濾過効果を有するために、冷感親肌層４と吸湿速乾層５の間に吸着層（図示せず）が設けられている。吸着層は、ポリプロピレン不織布から構成される。ポリプロピレンは、高熱溶融、噴出、敷網、熱巻などの工程を経て連続的に生産される。吸着層は、外部の有毒有害物質を吸着する機能を有する。
【００３１】
マスクＭにおいては、吸湿速乾層５の表面に抗菌剤を付着させることで、吸湿速乾層５に抗菌層を形成させることができる。マスクＭにおいては、冷感親肌層４のポリエチレン繊維が、湿気を吸収せず、高い速乾性を有する。また、冷感親肌層４のポリエチレン繊維自体に抗菌性能を持たせてもよい。さらに、吸湿速乾層５は、吸湿後、水分を早く乾燥させて、細菌を繁殖させ難くし、冷感親肌層４と同様の抗菌抑制効果を持たせている。ただし、吸湿速乾層５の抗菌機能は限定的であり、必要に応じて、吸湿速乾層５の内面及び／又は外面に抗菌剤を付着させ、抗菌層を形成する。抗菌層を形成する方法としては、吸湿速乾層５の表面に抗菌剤を付着させて抗菌層を形成し、或いは生地に吸湿速乾剤及び抗菌剤を同時に付着させて、吸湿速乾層５及び抗菌層を形成する。
【００３２】
図１に示すように、マスクＭのマスクバンド２には、調整ボタン３が設けられている。調整ボタン３は、その中間の孔にマスクバンド２が挿通される。調整ボタン３がマスクバンド２上を移動することで、マスクバンド２の長さが調整され、マスクＭを異なった顔の形に適応させることができる。
【００３３】
［実施例１］
図１に示すように、マスクＭは、マスク本体１と、マスクバンド２とを含む接触冷感性及び吸湿速乾性を有するマスクである。図２に示すように、マスク本体１は、皮膚Ｈに接触する側から順に、冷感親肌層４と吸湿速乾層５とを備えている。冷感親肌層４は、ポリエチレン繊維によって構成されている。吸湿速乾層５は、吸湿速乾繊維で編み立てられている。
【００３４】
冷感親肌層４は、ポリエチレン糸を用いた平編地によって構成され、細さは７５Ｄである。吸湿速乾層５は、ポリエステル糸を用いたハニカムメッシュ編地によって構成され、細さは７５Ｄである。吸湿速乾層５の表面には、無機金属イオンの抗菌処理剤である抗菌加工剤が付着されている。マスクバンド２には調整ボタン３が設けられている。
【００３５】
［実施例２］
本実施例のマスクは、実施例１と同様に、マスク本体１と、マスクバンド２を備えた接触冷感性及び吸湿速乾性を有するマスクである。マスク本体１は、皮膚Ｈに接触する側から順に、冷感親肌層４と吸湿速乾層５とを備えている。冷感親肌層４は、ポリエチレン繊維とナイロン繊維との複合繊維によって編まれた平編地によって構成されている。吸湿速乾層５は、ポリエステル長繊維によって編まれたハニカムメッシュ編地によって構成されている。
【００３６】
マスク本体１には、マスク本体１の外側から入り込み有毒有害物質を吸着する吸着層が冷感親肌層４と吸湿速乾層５との間に配置されている。当該吸着層は、ポリプロピレン不織布によって構成されている。マスクＭの表面には抗菌剤が付着しており、テトラアンモニウム塩系抗菌剤からなる抗菌層が形成されている。マスクバンド２には、調整ボタン３が設けられている。
【００３７】
［実施例３］
本実施例のマスクは、実施例１と同様に、マスク本体１と、マスクバンド２を備えた接触冷感性及び吸湿速乾性を有するマスクである。マスク本体１は、皮膚Ｈに接触する側から順に、冷感親肌層４と吸湿速乾層５とを備えている。冷感親肌層４は、ポリエチレン繊維とポリエステル繊維との複合繊維によって編まれた平編地によって構成されている。吸湿速乾層５は、ポリエステル長繊維によって編まれたハニカムメッシュ編地によって構成されている。吸湿速乾層５の表面には、ポリエステル化合物によって構成される吸湿速乾加工剤が付着されている。
【００３８】
マスク本体１には、マスク本体１の外側から入り込み有毒有害物質を吸着する吸着層が冷感親肌層４と吸湿速乾層５との間に配置されている。当該吸着層は、ポリプロピレン不織布によって構成されている。また、吸湿速乾層５の表面には抗菌剤が付着されている。吸湿速乾層５の表面には、吸湿速乾剤と抗菌剤との混合物が付着しており、吸湿速乾性及び抗菌性を有する層が形成されている。抗菌剤は、微生物天然抗菌剤である。マスクバンド２には、調整ボタン３が設けられている。
【００３９】
［実施例４］
本実施例のマスクは、実施例１と同様に、マスク本体１と、マスクバンド２を備えた接触冷感性及び吸湿速乾性を有するマスクである。マスク本体１は、皮膚Ｈに接触する側から順に、冷感親肌層４と吸湿速乾層５とを備えている。冷感親肌層４は、ポリエチレン糸を用いた平編地によって構成されている。吸湿速乾層５は、ポリエステル繊維によって編まれた生地によって構成されている。吸湿速乾層５は、冷感親肌層４に近い側がポリエステル糸を用いた平編地によって構成され、冷感親肌層４から離れた側がポリエステル糸を用いたハニカムメッシュ編地で構成されている。吸湿速乾層５の表面には、ポリエーテル化合物によって構成される吸湿速乾加工剤が付着されている。さらに、吸湿速乾層５の表面には抗菌剤が付着されている。すなわち、吸湿速乾層５の表面には、吸湿速乾剤と抗菌剤がそれぞれ付着されている。吸湿速乾層５の表面に付着される抗菌材は、ジグアニジン系抗菌剤である。マスクバンド２には、調整ボタン３が設けられている。
【００４０】
以上のように、本考案に係るマスクＭは、冷感親肌層４と吸湿速乾層５とを有することによって、花粉やウイルス等の粒子を捕集（ろ過）する機能や人の咳やくしゃみの飛散を防止する機能といったマスクＭが通常有する機能に加えて、より良い冷感、吸湿及び通気効果を備えることができる。また、マスクＭは、冷感親肌層４と吸湿速乾層５とを有することによって、湿気をより良く導き、素早く蒸発させ、肌を乾燥させることができる。そのため、マスクＭに抗菌効果を与えることができる。さらに、必要に応じて抗菌層を設けることで、抗菌抑制効果をさらに高め、マスクＭを快適かつ安全に使用することができる。
【符号の説明】
【００４１】
１                  マスク本体
２                  マスクバンド
３                  調整ボタン
４                  冷感親肌層
５                  吸湿速乾層
Ｈ                  皮膚
Ｍ                  マスク
【図１】
0003230535.tif 000003
【図２】
0003230535.tif 000004